(57)【要約】【課題】集塵部の排出開口に取り付けたフィルタを容易に着脱することができると共に、長期間にわたって取付力の低下を防止することができる電気掃除機を提供すること。【解決手段】吸込開口４０及び排出開口４９を有する集塵部（ダストカップ）３と、排出開口４９に連通した吸気口７ａを有する電動送風機６とが配設された掃除機本体１を備えると共に、排出開口４９にフィルタ（プリーツフィルタ）６０が取り付けられた電気掃除機であって、プリーツフィルタ６０の周縁部には、排出開口４９の周縁部に掛け止めされるクランプ手段（クランプレバー）６８と、排出開口４９の周縁部に係止される係止突起７１とが、互いに対向する位置に設けられると共に、この係止突起７１の先端部はダストカップ３側の角が除去されている。【選択図】  図４
2004313346.tif 000002
【特許請求の範囲】
【請求項１】
吸込開口及び排出開口を有する集塵部と、前記排出開口に連通した吸気口を有する電動送風機とが配設された掃除機本体を備えると共に、前記排出開口にフィルタが取り付けられた電気掃除機であって、
前記フィルタの周縁部には、前記排出開口の周縁部に掛け止めされるクランプ手段と、前記排出開口の周縁部に係止される係止突起とが、互いに対向する位置に設けられると共に、該係止突起の先端部は前記集塵部側の角が除去されていることを特徴とする電気掃除機。
【請求項２】
請求項１に記載の電気掃除機であって、前記掃除機本体には、前記フィルタを装着した前記集塵部を前記掃除機本体の所定位置に位置させた際に、前記係止突起を所定位置に係止させる当接部を設けたことを特徴とする電気掃除機。
【請求項３】
請求項１又は２に記載の電気掃除機であって、前記掃除機本体には、前記排出開口を前記吸気口に向かって押しつける押さえ手段を設けたことを特徴とする電気掃除機。
【請求項４】
請求項１ないし３に記載の電気掃除機であって、前記フィルタの周縁部には外方に向かって撓む弾性力を有するシール部材が設けられ、該シール部材のうち少なくとも前記係止突起と対向する部分は、前記係止突起の突出長よりも大きく撓んでいることを特徴とする電気掃除機。
【発明の詳細な説明】
【０００１】
【発明の属する技術分野】
この発明は、集塵部の排出開口にフィルタが取り付けられた電気掃除機に関するものである。
【０００２】
【従来の技術】
従来の電気掃除機として、図１４に示すようなものが知られている。（例えば特許文献１参照）。
【０００３】
かかる電気掃除機１００は、上部に排出開口１０２が形成されると共に周壁１０１Ａに吸込開口１０３が形成されたダストカップ（集塵部）１０１と、このダストカップ１０１内を負圧にする電動送風機１０４等とを備えている。
【０００４】
ダストカップ１０１は、排出開口１０２が電動送風機１０４の吸気口１０４Ａに連通し、吸込開口１０３が塵埃を吸引する吸込口体１０５に吸気通路１０６を介して連通している。
【０００５】
さらに、ダストカップ１０１の排出開口１０２には細塵を捕集するフィルタ１０７が取り付けられ、この排出開口１０２を覆っている。
【０００６】
このような電気掃除機１００では、吸込口体１０５から吸引された塵埃は吸気通路１０６を介してダストカップ１０１の吸込開口１０３からダストカップ１０１内に吸引される。このダストカップ１０１内では旋回流が発生して、塵埃と空気が分離され、空気のみがダストカップ１０１の排出開口１０２から電動送風機１０４の吸気口１０４Ａに吸引されて外部へ排気される。
【０００７】
このとき、空気と共に舞い上がった細塵等がフィルタ１０７に捕集されて、電動送風機１０４に吸い込まれないようにしている。
【０００８】
【特許文献１】
特開２００１−１０４２２３号公報（段落３８，４５、図２）
【０００９】
【発明が解決しようとする課題】
ところで、このような電気掃除機１００では、フィルタ１０７はダストカップ１０１の排出開口１０２に気密に嵌合している状態で取り付けられている。
【００１０】
そのため、使用初期段階では嵌合力が大きく働き、ダストカップ１０１に捕集された塵埃を捨てたりフィルタ１０７を洗浄したりする場合に、このフィルタ１０７の着脱を容易に行うことが困難であった。
【００１１】
一方、長期間にわたって着脱を繰り返した場合では、次第に嵌合力が低下し、僅かな力であってもフィルタ１０７が外れやすくなるという問題も生じていた。
【００１２】
この発明は、上記問題に鑑みてなされたものであり、集塵部の排出開口に取り付けたフィルタを容易に着脱することができると共に、長期間にわたって取付力（装着力）の低下を防止することができる電気掃除機を提供することを目的としている。
【００１３】
【課題を解決するための手段】
上記課題を解決するために、この発明の電気掃除機は、吸込開口及び排出開口を有する集塵部と、排出開口に連通した吸気口を有する電動送風機とが配設された掃除機本体を備えると共に、排出開口にフィルタが取り付けられ、フィルタの周縁部には、排出開口の周縁部に掛け止めされるクランプ手段と、排出開口の周縁部に係止される係止突起とが、互いに対向する位置に設けられると共に、この係止突起の先端部は集塵部側の角が除去されていることを特徴としている。
【００１４】
この発明によれば、フィルタの周縁部に設けられたクランプ手段と係止突起とによって、このフィルタを排出開口に取り付けることができるので、容易に着脱することができると共に、長期間にわたって着脱を繰り返しても取付力（装着力）の低下が生じることを防止できる。
【００１５】
また、クランプ手段と係止突起とを互いに対向する位置に設けたことにより、取付力の向上を図ることができ、さらに取付力の低下を防止することが可能となる。
【００１６】
さらに、係止突起の先端部の集塵部側の角を除去したので、係止突起を排出開口の周縁部に容易に係止できると共に、外れにくくすることができる。そのため、フィルタを容易に取り付けることができ、且つ、取付力の向上を図ることができる。
【００１７】
【発明の実施の形態】
以下、図面に基づいてこの発明の実施の形態を説明する。
【００１８】
図１、図２において、１は電気掃除機の掃除機本体、２は掃除機本体１の本体ケース、３は本体ケース２の前側に配設された集塵部としてのダストカップ、４はダストカップ３の上方に配設されたカップ押さえ蓋である。５はカップ押さえ蓋４に設けられたホース接続筒部、５ａはホース接続筒部５に開口したホース接続口（吸込口）である。
【００１９】
また、図４において、６は本体ケース２の後部の送風機室２ａ内に配設された電動送風機である。この電動送風機６は、遠心ファン部７と、遠心ファン部７を駆動する電動部（モータ部）８とを有している。そして、電動部８により遠心ファン部７を作動させると、遠心ファン部７の吸気口７ａからエアが吸い込まれるようになっている。しかも、この吸い込まれたエアは、電動部８内を流れて内部を冷却した後、電動部８の排気口８ａから排気されるようになっている。
【００２０】
さらに、ホース接続口５ａには、図１に示したように、可撓性のある集塵ホース９の一端部が着脱可能に嵌合接続されている。この集塵ホース９の他端部には手元操作パイプ（手元操作管）１０が一体に設けられている。
【００２１】
この手元操作パイプ１０には、延長パイプ（延長管）１１を介して吸込口体１２が接続されている。
【００２２】
また、手元操作パイプ１０には操作パネル１３が設けられている。この操作パネル１３には、「切」操作用のスイッチＳ１、「弱／中」操作用のスイッチＳ２、「強」操作用のスイッチＳ３が操作スイッチとして設けられている。
【００２３】
＜本体ケース２＞
上述の本体ケース２は、後部に送風機室２ａを有するセンターケース１４と、この送風機室２ａの両側に装着されたサイドケース１５、１５とを有している。このセンターケース１４の後壁には図示しない排気口が形成され、サイドケース１５、１５には排気口１５ａ、１５ａが形成されている。
【００２４】
また、このセンターケース１４の前側下部には送風機室２ａの下端部から前側に突出するカップ載置部１６が設けられ、このカップ載置部１６には上方に開放するカップ配設用の凹部１７が形成されている。
【００２５】
この凹部１７を形成する周壁１８の内周面１８ａは図４に示したように上方に向かうに従って次第に開くように傾斜させられている。そして、この凹部１７内には、図１〜図３、図５に示したようにダストカップ３の下端部が嵌合載置されている。
【００２６】
カップ載置部１６の前端部には突部１６ａが形成され、突部１６ａには図３、図４に示したように取手位置決凹部１６ｂが形成され、取手位置決凹部１６ｂ内には図４に示したように係止段部１６ｃが形成されている。
【００２７】
また、送風機室２ａは図４に示したように前側に開口している。この送風機室２ａの前面には図４に示したように環状の内方フランジ１９が形成され、この内方フランジ１９の内周面には帯状の環状シール部材２０が取り付けられている。この環状シール部材２０は、内方フランジ１９の前面（フィルタ当接面）１９ａ側に突出するシールリップ部２０ａを有している。
【００２８】
そして、この環状シール部材２０内には格子状のフィルタ押さえ２１が着脱可能に嵌着されている。このフィルタ押さえ２１は、上端に向かうに従って後方に僅かに傾斜させられている。これにより、ダストカップ３を凹部１７に嵌着しやすくなっている。なお、２１ａは、フィルタ押さえ２１の格子間に形成される開口（連通口）である。
【００２９】
また、送風機室２ａの前端部内にはフィルタ押さえ２１の後方に位置する格子状壁２２が設けられ、この格子状壁２２の後方には上述した送風機室２ａが形成されている。このとき、送風機室２ａ内に配設された電動送風機６の吸気口７ａが格子状壁２２に対向している。なお、２２ａは、格子状壁２２の格子間に形成される開口（連通口）である。
【００３０】
そして、フィルタ押さえ２１と格子状壁２２との間にはフィルタ２３が介装されている。さらに、内方フランジ１９の前面１９ａの下側には、図３に示したように後述するプリーツフィルタ６０が当接する突部（当接部）２４が形成されている。
【００３１】
＜ダストカップ３＞
集塵部としてのダストカップ３は、後端及び下端が開放すると共に、前部に開口が設けられた中空のカップ本体２５と、カップ本体２５の前側に一体に設けられた取手２６とを有している。
【００３２】
このカップ本体２５の後端部には、図４に示したように外方に向かって拡大する段差部ａ１及びこの段差部ａ１から後方に延設された環状壁部ｂ１を有している。環状壁部ｂ１は、図５に示したように上壁２５ａ、側壁２５ｂ、２５ｃを有していると共に、側壁２５ｂ、２５ｃの下端部を連続する下壁２５ｄを有している。この下壁２５ｄには、左右方向ほぼ中央部に位置すると共に、上下に貫通する係止孔３３が形成されている。
【００３３】
また、カップ本体２５内は、内部に設けられた仕切壁２７により上部及び後部側に位置する一連の負圧室２８と、下部側に位置する集塵室（粗塵室）２９とに区画されている。
【００３４】
仕切壁２７は、カップ本体２５内の上下方向中間部に一体に設けられた天井壁（上壁）３０と、天井壁３０から下方に延在された後壁３１とを有している。この後壁３１と下壁２５ｄとの間には細塵捕集用の塵捕集凹部３２が形成されている。
【００３５】
そして、図５に示したように天井壁３０には負圧室２８の上部と集塵室２９とを連通させる上連通口（上排気風路）３４が上連通路として設けられ、後壁３１には負圧室２８の後部と集塵室２９とを連通させる後連通口（後排気風路）３５が後連通路として設けられている。そして、上連通口３４は粗塵フィルタとしてのネットフィルタ（一次フィルタ）３６で閉成され、後連通口３５は粗塵フィルタとしてのネットフィルタ（一次フィルタ）３７で閉成されている。
【００３６】
なお、このネットフィルタ３６、３７としては、１１０μｍ〜３０μｍのメッシュ状の樹脂繊維フィルタの表面にスパッタリングにより金属被膜層を形成したものが用いられていて、非常にゴミが付着しにくいように滑りやすくなっている。また、この金属被膜層に変えてネットフィルタの表面をテフロン（登録商標）加工やフッ素加工等を施して、ネットフィルタの表面に滑りやすい被膜層を形成してもよい。
【００３７】
また、集塵室２９の下端開口は図４に示したように底蓋３８で閉成されている。この底蓋３８は、後端部がヒンジＪで下壁２５ｄに回動可能に取り付けられており、集塵室２９の下端開口を開閉可能にしている。なお、底蓋３８は、前端部が係止爪を有する図示しない係止ロック手段により保持されている。この係止ロック手段は、取手２６に設けられたロック解除ボタン３９の操作に連動して、係止爪による底蓋３８の係止を解除するようになっている。
【００３８】
また、図４に示したようにカップ本体２５の前側上部には吸込開口４０が形成されている。また、カップ本体２５の前側上部であって、吸込開口４０よりもさらに上側には左右方向に延びる突部４１が形成されている。
【００３９】
そして、図２、図５〜図８に示したように、吸込開口４０を閉成する前カバー４２の上部には後方に延びるアーム部４２ａが一体に設けられ、図６に示すようにアーム部４２ａから突出する軸部４２ｂが突部４１に回動自在に保持されている。これにより前カバー４２が上下に回動できるようになっている。
【００４０】
この前カバー４２には、この前カバー４２が吸込開口４０を閉成したとき、前方に突出する吸込筒部４２ｃが一体に設けられている。この吸込筒部４２ｃは、吸込開口４０と同心で且つ吸込開口４０より小径に形成されている。４２ｄは吸込筒部４２ｃ内の吸込風路である。
【００４１】
また、負圧室２８内には、図５に示したようにビス４３で後壁３１に着脱可能に取り付けられた風路形成パイプ４４が配設されている。この風路形成パイプ４４は、前後に延びる前パイプ部４４ａと、前パイプ部４４ａの後端から側方且つ斜め下方に延びる横パイプ部４４ｂとからＬ字状に形成されている（図６、図８参照）。
【００４２】
そして、前パイプ部４４ａは、前方から後方に向かうに従って徐々に縮径するテーパ状に形成されている。この前パイプ部４４ａには直進慣性による塵埃分離部４５が設けられている。
【００４３】
この塵埃分離部４５は、この前パイプ部４４ａに設けられた複数の連通口４６と、複数の連通口４６を閉成する筒状フィルタ（粗塵フィルタである一次フィルタ）４７とを有している。この複数の連通口４６は、前後に延び且つ周方向に間隔をおいて配列されている。また、筒状フィルタ４７には、前パイプ部４４ａの内周面に固着された筒状のネットフィルタが用いられている。
【００４４】
この筒状フィルタ４７用のネットフィルタとしては、１１０μｍ〜３０μｍのメッシュ状の樹脂繊維フィルタの表面にスパッタリングにより金属被膜層を形成したものが用いられていて、非常にゴミが付着しにくいように滑りやすくなっている。なお、この金属被膜層に変えてネットフィルタの表面をテフロン（登録商標）加工やフッ素加工等を施して、ネットフィルタの表面に滑りやすい被膜層を形成してもよい。
【００４５】
また、筒状フィルタ４７の内側には、図４に示したように吸込開口４０から連続する筒状風路４８が形成されている。さらに、負圧室２８の後端部には、図５に示したように環状壁部ｂ１内に位置し且つ後方に開放する排気開口４９が形成されている。
【００４６】
そして、環状壁部ｂ１の上壁２５ａには切欠５０が形成され、側壁２５ｂ、２５ｃにはそれぞれ切欠５１、５２が形成され、各切欠５０〜５２はリーク風路となっている。また、切欠５０の前側には、図５、図６に示したように上方に開放する係止凹部５３が形成されている。なお、係止凹部５３は上壁２５ａの左右方向ほぼ中央部に位置すると共に、下壁２５ｄに形成された係止孔３３に対向して位置している（図６参照）。
【００４７】
さらに、取手２６の上端部には図２、図５〜図８示したように係止穴２６ａ、２６ａが形成されている。
【００４８】
＜カップ押さえ蓋４＞
このカップ押さえ蓋４は、図２、図３に示したように後端部がヒンジ５４を介して上下回動可能に本体ケース２の上面に取り付けられている。なお、上述したホース接続筒部５内のホース接続口５ａはカップ押さえ蓋４の前端部（自由端部）に設けられている。
【００４９】
このホース接続筒部５には、ロック解除ボタン５５、５５と、このロック解除ボタン５５、５５を押すことで間隔が狭くなる方向に移動させられるロック爪５６、５６が設けられている。なお、上述したカップ載置部１６に形成された凹部１７にダストカップ３の下部を嵌合載置すると共に、ダストカップ３の取手２６の下端部を取手位置決凹部１６ｂ内に嵌合させた状態で、カップ押さえ蓋４を水平状態に倒したときにロック爪５６、５６は下方を向くようになっている。この際、ロック爪５６、５６はダストカップ３の取手２６に設けられた係止穴２６ａ、２６ａに係止されるようになっている。
【００５０】
また、カップ押さえ蓋４の前端部には、このカップ押さえ蓋４を水平状態に倒したときに下方を向く押圧突起５７が設けられている。一方、取手２６の下端部には図４に示すように係止爪５８が設けられ、取手２６内には下方に押圧されると係止爪５８を前方に突出させる連動部材５９が設けられている。なお、この連動部材５９は、図示しないスプリングで上方にバネ付勢されている。
【００５１】
そして、押圧突起５７は、カップ押さえ蓋４を水平状態に倒したときに、取手２６内に保持させた連動部材５９の上端を下方に押圧して、図４の如く取手２６の下端部に設けられた係止爪５８を係止段部１６ｃ内に突出させ、係止爪５８を係止段部１６ｃに係止させる。これにより、ダストカップ３及びカップ押さえ蓋４が固定（ロック）するようになっている。
【００５２】
そして、この固定状態において、ホース接続筒部５内のホース接続口５ａが吸込筒部４２ｃ内の吸込風路４２ｄに連通させられるようになっている。
【００５３】
＜細塵フィルタ（フィルタ）＞
ダストカップ３の排気開口４９には、粗塵捕捉用のネットフィルタ３６、３７及び筒状フィルタ（一次フィルタ）４７によって捕捉することができなかった細塵を捕集するプリーツフィルタ６０が、図４、図７に示したように細塵フィルタ（二次フィルタ）として着脱可能に嵌着されている。なお、この細塵フィルタとしては、細塵を捕捉できればプリーツフィルタ６０以外のフィルタ、例えば非常に目の細かいマット状のフィルタや、多層フィルタ等であっても良い。
【００５４】
このプリーツフィルタ６０は、図７、図９、図１０に示したように略方形であって筒状（環状）のフィルタ枠６１と、フィルタ枠６１内に設けられたフィルタ部６２とを有している。
【００５５】
フィルタ部６２は、フィルタ用素材である繊維をマット状でプリーツ状（波形状）に成型することにより形成したものである。なお、このフィルタ部６２は、図７、図１０に示したように左右方向に交互に配列された多数の山部６２ａ及び谷部６２ｂを有している。各山部６２ａ及び谷部６２ｂの稜線は上下方向に延びており、これによりフィルタ部６２に付着した塵埃は、下方に落下したときに細塵捕集用の塵捕集凹部３２内に容易に捕集されるようになっている。
【００５６】
また、筒状のフィルタ枠６１の前端、後端及び前後方向中間部には、図９、図１０に示したように外方に突出し且つ周縁に沿って環状に延びるフランジ６３、６４、６５が突設されている。
【００５７】
ここで、フランジ６３とフランジ６５とは互いに平行となっており、各フランジ６３、６５は下方に向かうに従って徐々に後方に傾斜させられている。また、フランジ６４は下方に向かうに従って徐々に前方に傾斜させられている（図９参照）。なお、フランジ６４の傾斜は、フィルタ押さえ２１の内方フランジ１９の前面１９ａの傾斜と一致させられている。
【００５８】
さらに、フィルタ枠６１の上面の左右方向中央部には、図１２に示したように左右に間隔をおいた一対の取付壁６６、６６が上方に向かって突出形成されていると共に、取付壁６６、６６の中間に位置させたバネ受け突起６７が一体に形成されている。この取付壁６６、６６の互いに反対側の側面には同一軸線を有する支持軸６６ａ、６６ａが一体に形成されている。なお、取付壁６６、６６は前後方向に延びている。
【００５９】
そして、この取付壁６６、６６上には板状のクランプレバー（クランプ手段）６８が配設されている。このクランプレバー６８の両側部には図１２に示したように取付壁６６、６６に沿って下方に延びる側壁６８ａ、６８ａが一体に設けられ、この側壁６８ａ、６８ａに設けられた係合穴６８ｂ、６８ｂに支持軸６６ａ、６６ａが回動自在に嵌合されている。これにより、クランプレバー６８は、支持軸６６ａ、６６ａを中心に回動できるようになっている。
【００６０】
また、クランプレバー６８の後端部下面には、バネ受け突起６７に対向するバネ受け突起６９が一体に設けられている。そして、フィルタ枠６１とクランプレバー６８との間には、バネ受け突起６７、６９に両端が嵌合したコイルスプリング７０が介装されている、このコイルスプリング７０は、クランプレバー６８の後部を上方に付勢することにより、クランプレバー６８の前端に形成された爪部６８ｃを下方に付勢している。
【００６１】
このクランプレバー６８は、図２、図１１に示したように、プリーツフィルタ６０をダストカップ２５に装着した際に、爪部６８ｃがコイルスプリング７０のバネ力により切欠５０の前側の係止凹部５３に掛け止めするようになっている。これにより、プリーツフィルタ６０の上端部がダストカップ２５の上壁２５ａに保持されることとなる。なお、このクランプレバー６８は、切欠５０を閉成する形状に形成されている。
【００６２】
さらに、フランジ６５の下端部の左右方向中央部には、図９〜図１１、図１３に示したように下方に突出する係止突起７１が一体に形成されている。この係止突起７１の先端部は、プリーツフィルタ６０をダストカップ２５に装着した際に、このダストカップ２５側となる前側の角が除去され、ここではＲ形状に形成されたガイド面７１ａが形成されている。このガイド面７１ａは、係止突起７１をダストカップ２５の下壁２５ｄに設けた係止孔３３に係合させる際に容易になるようにガイドさせることができる。なお、このガイド面７１ａは角が除去されていれば良いので、Ｒ形状に限らず、多面形状等であってもよい。
【００６３】
また、クランプレバー６８と、係止突起７１とは互いに対向する位置に設けられ、プリーツフィルタ６０をダストカップ２５に装着した際に、プリーツフィルタ６０の上下部分をそれぞれ係止できるようになっている。
【００６４】
さらに、フランジ６４には、係止突起７１に対応して切欠６４ａが形成されている（図１０参照）。
【００６５】
そして、フランジ６３、６５間には図１１、図１３に示したように周方向に延びる環状溝７２が形成され、環状溝７２には断面形状がく字状に形成された環状の弾性力を有するシール部材７３が嵌着されている。このシール部材７３は、外方に向かって突出するように撓んでダストカップ２５の環状壁部ｂ１の内周面に弾接するシールリップ７４を有している。
【００６６】
なお、切欠５０、５１、５２は、環状壁部ｂ１のシールリップ７４が当接するシール位置より後側、即ち環状壁部ｂ１のシールリップ７４によるシール位置とセンターケース１４の内方フランジ１９との間に形成されている（図８参照）。
【００６７】
このシールリップ７４は、係止突起７１と対向する上端のリップ部７４ａが下端のリップ部７４ｂより強く設定されていて、この上端のリップ部７４ａの撓み長ｔ１は、係止突起７１の突出長ｔ２よりも大きくなっている。つまり、係止突起７１と対向する上端のリップ部７４ａは、係止突起７１の突出長ｔ２よりも大きく撓んでいる。
【００６８】
さらに、フィルタ枠６１の両側部には、図２、図７に示したようにダストカップ３の切欠５１、５２に係合して、切欠５１、５２を閉成するツマミ突部７５、７６が一体に形成されている。
【００６９】
［動  作］
次に、上記のように構成される電気掃除機の動作について説明する。
【００７０】
この電気掃除機を使用するには、まず、ダストカップ３にプリーツフィルタ６０を装着した後に、このダストカップ３を本体ケース２に装着する。さらにその後、カップ押さえ蓋４を水平状態に倒してロック爪５６、５６及び係止爪５８によりダストカップ３及びカップ押さえ蓋４を固定する。
【００７１】
そして、この状態で操作パネル１３のスイッチＳ２又はスイッチＳ３をＯＮ操作する。これにより、電動送風機６が駆動される。そして、電動送風機６の遠心ファン部７はエアを吸気口７ａから吸い込むことで負圧を発生させ、この負圧が本体ケース２の格子状壁２２の開口（符号省略）、フィルタ２３、格子状のフィルタ押さえ２１の開口（符号省略）及びプリーツフィルタ６０等を介して負圧室２８作用する。
【００７２】
この負圧が風路形成パイプ４４の連通口４６、筒状フィルタ４７、筒状風路４８、吸込風路４２ａ、カップ押さえ蓋４の接続口５ａ、集塵ホース９、延長パイプ１１を介して吸込口体１２に作用し、吸込口体１２からエア（空気）とともに塵埃が吸引される。
【００７３】
この吸込口体１２に吸い込まれた塵埃及びエアは、延長パイプ１１、集塵ホース９、カップ押さえ蓋４の接続口５ａ、吸込風路４２ｄを介して筒状フィルタ４７内の筒状風路４８内に吸引される。
【００７４】
この筒状風路４８に吸い込まれるエアには上述したように塵埃が含まれている。この塵埃のうち所定以上の質量のある塵埃は、前後方向に略直線状に延びる筒状風路４８内に吸引されると、筒状風路４８内に吸引して流入する際の慣性力により直進した後、横パイプ部４４ｂを介して集塵室２９の側方へ導入される。この際、エアの一部は風路形成パイプ４４を介して集塵室２９に吸引される。
【００７５】
また、筒状風路４８に吸引されたエアは、周縁部の一部が筒状フィルタ４７を介して負圧室２８内に吸引される。この際、筒状風路４８に吸い込まれる塵埃のうち比較的軽い綿埃等は筒状フィルタ４７に捕捉される。しかし、細塵は筒状フィルタ４７を透過してエアと共に負圧室２８内に流入する。
【００７６】
このようにして、筒状風路４８に吸い込まれる塵埃のうち所定以上の質量のある塵埃は直進慣性力によりエアの一部から慣性分離される。
【００７７】
さらに、集塵室２９内にエアと共に吸引された塵埃はエアから分離されて集塵室２９内に底部側から堆積させられる。この塵埃が分離されたエアは、ネットフィルタ３６及び上連通口３４を介して負圧室２８の上部に吸引される一方、ネットフィルタ３７及び後連通口３５を介して負圧室２８の後方側下部内に吸引される。この際、塵埃の一部はネットフィルタ３６、３７に捕捉されるが、細塵はエアと共に負圧室２８内に流入する。
【００７８】
このようにして負圧室２８に吸い込まれたエアは、電動送風機６から作用する負圧によりプリーツフィルタ６０を透過する。この際、エアに含まれる細塵は、プリーツフィルタ６０に捕捉された後、一部が落下させられて下方の塵捕集凹部３２に捕集される。
【００７９】
そして、プリーツフィルタ６０を透過したエアは、格子状のフィルタ押さえ２１の開口（符号省略）、フィルタ２３、格子状壁２２の開口（符号省略）を介して電動送風機６の吸気口７ａを介して遠心ファン部７内に吸い込まれる。
【００８０】
この吸い込まれたエアは、電動部８内を流れて内部を冷却した後、電動部８の排気口８ａから排気される。そして、この排気は、センターケース１４の後壁の図示しない排気口及びサイドケース１５、１５の排気口１５ａ、１５ａを介して大気に排気される。
【００８１】
また、このような作用において、筒状フィルタ４７がある程度目詰まりすると、筒状フィルタ４７内の筒状風路４８内を流れるエアの大半が風路形成用パイプ４４を介して集塵室２９内に流入するので、筒状風路４８内を流れるエアの流速が早くなり、筒状フィルタ４７の内周面に付着した塵埃を剥離し、筒状フィルタ４７の目詰まり状態が解消される。
【００８２】
以下に、この発明の要部の作用について詳述する。
【００８３】
（１）プリーツフィルタ６０のダストカップ３への装着
プリーツフィルタ６０をダストカップ３に装着するには、まず、ダストカップ３の係止突起７１をダストカップ３の下壁２５ｄに形成された係止孔３３に挿入係合させる。
【００８４】
そして、係止突起７１が係止孔３３に挿入して係止されたら、クランプレバー６８をダストカップ３の上壁２５ａに形成された切欠５０に掛け止めると共に、ツマミ突部７５、７６をダストカップ３の側壁２５ｂ、２５ｃに形成された切欠５１、５２に挿入係合させる。
【００８５】
この際、クランプレバー６８の後部をコイルスプリング７０のバネ力に抗して下方に押圧して、クランプレバー６８の前端部の爪部６８ｃを切欠５０の前側の係止凹部５３に臨ませる。そして、爪部６８ｃと係止凹部５３とが対向したらクランプレバー６８の後部からの押圧力を解除し、クランプレバー６８の爪部６８ｃをコイルスプリング７０のバネ力で係止凹部５３に係合させる。これにより、プリーツフィルタ６０の上端部がダストカップ２５の上壁２５ａにクランプレバー６８により掛け止め（クランプ保持）される。
【００８６】
このように、プリーツフィルタ６０は、その周縁部に設けられたクランプレバー６８をダストカップ３の排気開口４９の周縁部に掛け止めると共に、係止突起７１を排気開口４９の周縁部に係止させることにより、ダストカップ３の排気開口４９に装着される。
【００８７】
ここで、プリーツフィルタ６０の係止突起７１がダストカップ３の係止孔３３に係合していない状態で、クランプレバー６８をダストカップ３に掛け止めた場合を説明する。
【００８８】
この場合、プリーツフィルタ６０がダストカップ３の排気開口４９に十分に嵌合せず、下部が外れ上部だけが保持されている状態となる。この状態でプリーツフィルタ６０を排気開口４９内に押し込む（押圧変位させる）と、係止突起７１のガイド面７１ａがシールリップ７４の上側のリップ部７４ａを押し上げて撓めながら、ダストカップ２５の下壁２５ｄの後端部に引っ掛かることなく下壁２５ｄに乗り上げた後、係止突起７１が係止孔３３側に移動させられる。そして、係止突起７１と係止孔３３とが対向すると、シール部材７３の弾性力により係止突起７１が係止孔３３内に挿入係合させられる。
【００８９】
このように、プリーツフィルタ６０は不完全な状態でダストカップ３に装着されていても、係止突起７１のダストカップ３側の角が除去されているので、ダストカップ３の排気開口４９内に押し込むことにより、係止突起７１が排気開口２９の下壁２５ｄに引っ掛かることなく、ダストカップ３の所定の位置に装着することができる。そして、係止突起７１を係止孔３３に容易に係止させることが可能となる。
【００９０】
（２）ダストカップ３の本体ケース２への装着
プリーツフィルタ６０が装着されたダストカップ３を本体ケース２に装着するには、ダストカップ３の下端部をカップ載置部１６の凹部１７内に載置すると共に、ダストカップ３の取手２６の下端部をカップ載置部１６の突部１６ａに設けた取手位置決凹部１６ｂ内に挿入係合させる。そして、カップ押さえ蓋４を水平状態に倒して、ロック爪５６、５６をダストカップ３の取手２６に設けられた係止穴２６ａ、２６ａに係止させる。
【００９１】
この際、プリーツフィルタ６０がダストカップ３の排気開口４９に十分に嵌合せず、下部が外れ上部だけが保持されている状態だった場合では、本体ケース２の内方フランジ１９の下側に形成された突部（当接部）２４が、フランジ６４の切欠６４ａの部分から係止突起７１の背面側に当接する。
【００９２】
そして、この突部２４が係止突起７１の背面側に当接した状態でダストカップ３を凹部１７内に載置すると、ダストカップ３の下端部は、凹部１７を形成する周壁１８の傾斜する内周面１８ａにガイドされた後、凹部１７の所定位置内に載置される。
【００９３】
このとき、プリーツフィルタ６０は突起２４によって排気開口４９内に押し込まれる（押圧変位させられる）。そして、係止突起７１のガイド面７１ａがシールリップ７４の上側のリップ部７４ａを押し上げて撓めながら、ダストカップ２５の下壁２５ｄの後端部に引っ掛かることなく下壁２５ｄに乗り上げた後、係止突起７１が係止孔３３側に移動させられる。そして、係止突起７１と係止孔３３とが対向すると、シール部材７３の弾性力により係止突起７１が係止孔３３内に挿入係合させられる。
【００９４】
このように、係止突起７１は排気開口４９の下壁２５ｄに引っ掛かることなく所定位置である係止孔３３内に位置し、係止突起７１を係止孔３３に容易に係止させることができる。
【００９５】
そして、プリーツフィルタ６０は、不完全な状態でダストカップ３に装着されていても、ダストカップ３を凹部１７に載置する際に、本体ケース２に形成された当接部である突起２４によってダストカップ３の所定の位置に装着されることになる。
【００９６】
また、ダストカップ３が本体ケース２に装着されると、ダストカップ３の排気開口４９と本体ケース２の後部に形成された送風機室２ａ内に配設された電動送風機６の吸気口７ａとが連通する。
【００９７】
ここで、ダストカップ３は、カップ載置部１６の凹部１７の内周面１８ａの傾斜と、カップ載置部１６の前端部に形成された突部１６ａの取付位置決凹部１６ｂと、カップ押さえ蓋４のロック爪５６、５６とによって、電動送風機６の吸気口７ａに向かって押し付けられている。
【００９８】
つまり、ここでは、カップ載置部１６の凹部１７の内周面１８ａの傾斜と、カップ載置部１６の前端部に形成された突部１６ａの取付位置決凹部１６ｂと、カップ押さえ蓋４のロック爪５６、５６とが掃除機本体１に設けられた押さえ手段となり、ダストカップ３が固定されている。
【００９９】
これにより、ダストカップ３の排出開口４９に装着されたプリーツフィルタ６０が固定され、振動や風圧等によってがたつくことを防止できる。
【０１００】
また、プリーツフィルタ６０の周縁部に設けられたシール部材７３の、係止突起７１と対向する部分である上端のリップ部７４ａが、係止突起７１の突出長ｔ２よりも大きく撓んでいるので、係止突起７１が係止孔３３内に挿入嵌合しても、シール部材７３の上端のリップ部７４ａをダストカップ３の排気開口４９の周縁部に十分に密着させることができる。これにより、図１１に示すようにプリーツフィルタ６０をダストカップ２５に装着した際に、係止突起７１が係止孔３３から抜け外れないようにしている。
【０１０１】
さらに、ここでは、プリーツフィルタ６０は、フィルタ枠６１のフランジ６４が環状シール部材２０のシールリップ部２０ａに弾接させられて、本体ケース２の内方フランジ１９との間が気密にシールされている。
【０１０２】
（３）プリーツフィルタ６０のダストカップ３からの取り外し
プリーツフィルタ６０をダストカップ３から取り外すには、クランプレバー６８の後部をコイルスプリング７０のバネ力に抗して下方に押圧して、クランプレバー６８の前端部を上方に回動移動させ、この状態でプリーツフィルタ６０を後方に引っ張ることで、プリーツフィルタ６０をダストカップ３から取り外すことができる。
【０１０３】
この際、プリーツフィルタ６０の左右のツマミ突部７５、７６を掴んだ状態で、プリーツフィルタ６０を後方に引っ張ることにより、プリーツフィルタ６０を安定した状態でダストカップ３から取り外すことができる。
【０１０４】
そして、プリーツフィルタ６０の上部をダストカップ３の排出開口４９から外した後に、係止突起７１を係止孔３３から外すことによりプリーツフィルタ６０をダストカップ３から取り外すことができる。
【０１０５】
このように、プリーツフィルタ６０の周縁部に設けられたクランプレバー６８と係止突起７１とによって、このプリーツフィルタ６０をダストカップ３の排出開口４９に取り付けることができるので、プリーツフィルタ６０を排出開口４９内に大きな力で押し込んだり、引っ張ったりする必要がなくなり、着脱を容易に行うことができる。
【０１０６】
また、プリーツフィルタ６０の周縁部に設けたシール部材７３の弾性力によって排出開口４９にプリーツフィルタ６０を保持させることがないので、長期間にわたって着脱を繰り返しても取付力（装着力）の低下が生じることを防止できる。
【０１０７】
さらに、クランプレバー６８と係止突起７１とを互いに対向する位置に設けたことにより、プリーツフィルタ６０の上下位置をだすとカップの排出開口４９に係止させることができて、取付力の向上を図ることができる。そして、さらに取付力の低下を防止することが可能となる。
【０１０８】
【発明の効果】
この発明によれば、集塵部の排出開口に取り付けたフィルタを容易に着脱することができると共に、長期間にわたって取付力の低下を防止することができる電気掃除機を提供することができる。
【図面の簡単な説明】
【図１】この発明に係る電気掃除機の全体を示す斜視図である。
【図２】図１のカップ押さえ蓋を開いた状態の掃除機本体の斜視図である。
【図３】図２のダストカップを取り外した状態の掃除機本体の斜視図である。
【図４】図１におけるＡ１−Ａ１線に沿う断面図である。
【図５】プリーツフィルタを取り外して斜め後方から見たダストカップの斜視図である。
【図６】図５のダストカップの平面図である。
【図７】図１、図２のダストカップを斜め後ろから見た斜視図である。
【図８】図７のダストカップの平面図である。
【図９】図７のプリーツフィルタの左側面図である。
【図１０】図９のプリーツフィルタの底面図である。
【図１１】図８におけるＡ２−Ａ２線に沿う要部拡大断面図である。
【図１２】図１１におけるＡ３−Ａ３線に沿う断面図である。
【図１３】図１１におけるプリーツフィルタのみを取り出した要部拡大断面図である。
【図１４】従来の電気掃除機を示す断面図である。
【符号の説明】
１        掃除機本体
３        集塵部（ダストカップ）
６        電動送風機
７ａ      吸気口
４０      吸込開口
４９      排気開口
６０      フィルタ（プリーツフィルタ）
６８      クランプ手段（クランプレバー）
７１      係止突起
【図１】
2004313346.tif 000003
【図２】
2004313346.tif 000004
【図３】
2004313346.tif 000005
【図４】
2004313346.tif 000006
【図５】
2004313346.tif 000007
【図６】
2004313346.tif 000008
【図７】
2004313346.tif 000009
【図８】
2004313346.tif 000010
【図９】
2004313346.tif 000011
【図１０】
2004313346.tif 000012
【図１１】
2004313346.tif 000013
【図１２】
2004313346.tif 000014
【図１３】
2004313346.tif 000015
【図１４】
2004313346.tif 000016